(57)【特許請求の範囲】
【請求項１】
データパス部と状態管理部とを有しており、前記データパス部に複数のプロセッサエレメントおよび複数のスイッチエレメントがマトリクス配列されており、前記プロセッサエレメントは、順次遷移される複数の動作状態ごとにコンピュータプログラムにデータ記述されている命令コードに対応してデータ処理を個々に実行し、前記スイッチエレメントは、前記命令コードに対応して複数の前記プロセッサエレメントの接続関係を個々に切換制御し、前記状態管理部は、前記データパス部の前記動作状態ごとの前記命令コードからなるコンテキストを前記命令コードと適宜入力されるイベントデータとに対応して前記動作状態ごとに順次遷移させるアレイ型プロセッサであって、
複数の前記コンピュータプログラムごとに前記状態管理部の命令コードをデータ保持する状態記憶手段と、
複数の前記コンピュータプログラムごとに前記データパス部の命令コードをデータ保持するコンテキスト記憶手段と、
タスク切換のイベントデータが入力されるイベント入力手段と、
前記タスク切換のイベントデータが入力されると前記状態管理部と前記データパス部との動作を停止させる動作停止手段と、
停止した前記状態管理部の動作状態と前記データパス部の前記動作状態に応じた処理データとを、タスク切換時点のハードウェア構成に応じて選択して取得する停止取得手段と、
データ取得された前記動作状態と前記処理データとを複数の前記コンピュータプログラムごとに一時保持する停止保持手段と、
前記一時保持が完了すると他の前記コンピュータプログラムの動作状態と処理データとを前記停止保持手段からデータ読出して前記状態管理部と前記データパス部とにデータ設定する切換設定手段と、
前記データ設定が完了すると動作開始のイベントデータを前記状態管理部に出力する開始出力手段と、も有しており、
前記状態管理部は、前記動作開始のイベントデータが入力されるとデータ設定されている前記動作状態から状態遷移を開始するアレイ型プロセッサ。
【請求項２】
外部のプログラムメモリから前記コンピュータプログラムをデータ取得するコード取得手段も有しており、
前記状態記憶手段と前記コンテキスト記憶手段とは、データ取得される前記コンピュータプログラムを交換自在に一時保持し、
前記切換設定手段は、前記状態管理部と前記データパス部とが前記命令コードをデータ読出して処理動作を実行する前記コンピュータプログラムをデータ設定する前記動作状態と前記処理データとに対応して指定する請求項１に記載のアレイ型プロセッサ。
【請求項３】
前記コード取得手段は、前記プログラムメモリから少なくとも一つの前記コンピュータプログラムの連携する一部の前記動作状態の命令コードを対応する一部の前記コンテキストの命令コードとともにデータ取得し、
前記状態記憶手段と前記コンテキスト記憶手段とは、複数の前記コンピュータプログラムの少なくとも一つでは前記命令コードをデータ取得される一部のみ一時保持し、
前記状態管理部と前記データパス部とが一部のみ一時保持した前記命令コードでの動作を完了するごとに前記コード取得手段は継続する前記動作状態および前記コンテキストの前記命令コードをデータ取得して前記状態管理部と前記データパス部とにデータ設定し、
前記状態管理部と前記データパス部とは、複数の前記コンピュータプログラムの１つの前記命令コードのデータ取得とデータ設定とが実行されているときにデータ保持している他の前記コンピュータプログラムの命令コードで動作する請求項２に記載のアレイ型プロセッサ。
【請求項４】
前記状態記憶手段と前記コンテキスト記憶手段とで前記命令コードが一部のみ一時保持されている複数の前記コンピュータプログラムの優先度を検出する優先検出手段と、
前記状態記憶手段と前記コンテキスト記憶手段とで一部のみ一時保持される前記命令コードの個数を前記優先度に対応して複数の前記コンピュータプログラムで相互に増減させるコード増減手段も有している請求項３に記載のアレイ型プロセッサ。
【請求項５】
前記優先検出手段は、前記状態記憶手段と前記コンテキスト記憶手段とで一時保持されている複数の前記コンピュータプログラムの一部の前記命令コードごとに使用頻度を前記優先度として積算し、
前記コード増減手段は、前記使用頻度が低い前記命令コードを優先的に削減させる請求項４に記載のアレイ型プロセッサ。
【請求項６】
データ処理装置とプログラムメモリとが接続されているデータ処理システムであって、
前記データ処理装置が請求項２ないし５の何れか一項に記載のアレイ型プロセッサからなり、
このアレイ型プロセッサの前記コンピュータプログラムを前記プログラムメモリがデータ記憶しているデータ処理システム。
【請求項７】
コンピュータプログラムとイベントデータとに対応して各種のデータ処理を各々実行する複数のデータ処理装置が並列に接続されており、
複数の前記データ処理装置の少なくとも１個がアレイ型プロセッサからなり、
このアレイ型プロセッサの前記コンピュータプログラムをデータ記憶しているプログラムメモリも有しており、
前記アレイ型プロセッサが、データパス部と状態管理部とを有しており、前記データパス部に複数のプロセッサエレメントおよび複数のスイッチエレメントがマトリクス配列されており、前記プロセッサエレメントは、順次遷移される複数の動作状態ごとに前記コンピュータプログラムにデータ記述されている命令コードに対応してデータ処理を個々に実行し、前記スイッチエレメントは、前記命令コードに対応して複数の前記プロセッサエレメントの接続関係を個々に切換制御し、前記状態管理部は、前記データパス部の前記動作状態ごとの前記命令コードからなるコンテキストを前記命令コードと適宜入力されるイベントデータとに対応して前記動作状態ごとに順次遷移させる、データ処理システムであって、
前記アレイ型プロセッサが、複数の前記コンピュータプログラムごとに前記状態管理部の命令コードをデータ保持する状態記憶手段と、複数の前記コンピュータプログラムごとに前記データパス部の命令コードをデータ保持するコンテキスト記憶手段と、を有しており、
複数の前記データ処理装置の少なくとも１個が、タスク切換のイベントデータが入力されるイベント入力手段と、前記タスク切換のイベントデータが入力されると前記状態管理部と前記データパス部との動作を停止させる動作停止手段と、を有しており、
複数の前記データ処理装置の少なくとも１個が、停止した前記状態管理部の動作状態と前記データパス部の前記動作状態に応じた処理データとを、タスク切換時点のハードウェア構成に応じて選択して取得する停止取得手段と、データ取得された前記動作状態と前記処理データとを複数の前記コンピュータプログラムごとに一時保持する停止保持手段と、を有しており、
複数の前記データ処理装置の少なくとも１個が、前記一時保持が完了すると他の前記コンピュータプログラムの動作状態と処理データとを前記停止保持手段からデータ読出して、前記状態管理部と前記データパス部とにデータ設定する切換設定手段を有しており、
複数の前記データ処理装置の少なくとも１個が、前記データ設定が完了すると動作開始のイベントデータを前記状態管理部に出力する開始出力手段を有しており、
前記アレイ型プロセッサの状態管理部は、前記動作開始のイベントデータが入力されると前記動作状態の順次遷移を開始するデータ処理システム。
【請求項８】
コンピュータプログラムとイベントデータとに対応して各種のデータ処理を各々実行する複数のデータ処理装置が並列に接続されており、
複数の前記データ処理装置の少なくとも１個がアレイ型プロセッサからなり、
このアレイ型プロセッサの前記コンピュータプログラムをデータ記憶しているプログラムメモリも有しており、
前記アレイ型プロセッサが、データパス部と状態管理部とを有しており、前記データパス部に複数のプロセッサエレメントおよび複数のスイッチエレメントがマトリクス配列されており、前記プロセッサエレメントは、順次遷移される複数の動作状態ごとに前記コンピュータプログラムにデータ記述されている命令コードに対応してデータ処理を個々に実行し、前記スイッチエレメントは、前記命令コードに対応して複数の前記プロセッサエレメントの接続関係を個々に切換制御し、前記状態管理部は、前記データパス部の前記動作状態ごとの前記命令コードからなるコンテキストを前記命令コードと適宜入力されるイベントデータとに対応して前記動作状態ごとに順次遷移させる、データ処理システムであって、
前記アレイ型プロセッサが、複数の前記コンピュータプログラムごとに前記状態管理部の命令コードをデータ保持する状態記憶手段と、複数の前記コンピュータプログラムごとに前記データパス部の命令コードをデータ保持するコンテキスト記憶手段と、を有しており、
複数の前記データ処理装置の少なくとも１個が、タスク切換のイベントデータが入力されるイベント入力手段と、前記タスク切換のイベントデータが入力されると前記状態管理部と前記データパス部との動作を停止させる動作停止手段と、停止した前記状態管理部の動作状態と前記データパス部の前記動作状態に応じた処理データとを、タスク切換時点のハードウェア構成に応じて選択して取得する停止取得手段と、データ取得された前記動作状態と前記処理データとを複数の前記コンピュータプログラムごとに一時保持する停止保持手段と、前記一時保持が完了すると他の前記コンピュータプログラムの動作状態と処理データとを前記停止保持手段からデータ読出して前記状態管理部と前記データパス部とにデータ設定する切換設定手段と、前記データ設定が完了すると動作開始のイベントデータを前記状態管理部に出力する開始出力手段と、を有しており、
前記アレイ型プロセッサの状態管理部は、前記動作開始のイベントデータが入力されると前記動作状態の順次遷移を開始するデータ処理システム。
【請求項９】
前記アレイ型プロセッサが、
タスク切換のイベントデータが入力されるイベント入力手段と、
前記タスク切換のイベントデータが入力されると前記状態管理部と前記データパス部との動作を停止させる動作停止手段と、
停止した前記状態管理部の動作状態と前記データパス部の前記動作状態に応じた処理データとを取得する停止取得手段と、
データ取得された前記動作状態と前記処理データとを複数の前記コンピュータプログラムごとに一時保持する停止保持手段と、
前記一時保持が完了すると他の前記コンピュータプログラムの動作状態と処理データとを前記停止保持手段からデータ読出して前記状態管理部と前記データパス部とにデータ設定する切換設定手段と、
前記データ設定が完了すると動作開始のイベントデータを前記状態管理部に出力する開始出力手段と、を有することを特徴とする請求項８記載のデータ処理システム。
【請求項１０】
複数の前記データ処理装置のうち、前記アレイ型プロセッサ以外の前記データ処理装置が、
タスク切換のイベントデータが入力されるイベント入力手段と、
前記タスク切換のイベントデータが入力されると前記状態管理部と前記データパス部との動作を停止させる動作停止手段と、
停止した前記状態管理部の動作状態と前記データパス部の前記動作状態に応じた処理データとを取得する停止取得手段と、
データ取得された前記動作状態と前記処理データとを複数の前記コンピュータプログラムごとに一時保持する停止保持手段と、
前記一時保持が完了すると他の前記コンピュータプログラムの動作状態と処理データとを前記停止保持手段からデータ読出して前記状態管理部と前記データパス部とにデータ設定する切換設定手段と、
前記データ設定が完了すると動作開始のイベントデータを前記状態管理部に出力する開始出力手段と、を有することを特徴とする請求項８記載のデータ処理システム。
【請求項１１】
請求項８乃至１０に記載のデータ処理装置のためのコンピュータプログラムであって、
タスク切換のイベントデータの入力を受け付けること、
前記タスク切換のイベントデータが入力されると前記状態管理部と前記データパス部との動作を停止させること、
停止した前記状態管理部の前記動作状態と前記データパス部の前記動作状態を応じた前記処理データとを取得すること、
データ取得された前記動作状態と前記処理データとを複数の前記コンピュータプログラムごとに一時保持すること、
前記一時保持が完了すると他の前記コンピュータプログラムの動作状態と処理データとを前記停止保持手段からデータ読出して前記状態管理部と前記データパス部とにデータ設定すること、
前記データ設定が完了すると動作開始のイベントデータを前記状態管理部に出力すること、を前記データ処理装置に実行させるためのコンピュータプログラム。
【請求項１２】
アレイ型プロセッサと、前記アレイ型プロセッサのコンピュータプログラムをデータ記憶しているプログラムメモリと、が接続されており、
前記アレイ型プロセッサが、データパス部と状態管理部とを有しており、前記データパス部に複数のプロセッサエレメントおよび複数のスイッチエレメントがマトリクス配列されており、前記プロセッサエレメントは、順次遷移される複数の動作状態ごとにコンピュータプログラムにデータ記述されている命令コードに対応してデータ処理を個々に実行し、前記スイッチエレメントは、前記命令コードに対応して複数の前記プロセッサエレメトの接続関係を個々に切換制御し、前記状態管理部は、前記データパス部の前記動作状態ごとの前記命令コードからなるコンテキストを前記命令コードと適宜入力されるイベントデータとに対応して前記動作状態ごとに順次遷移させる、データ処理システムであって、
前記プログラムメモリが複数の前記コンピュータプログラムをデータ記憶しており、
前記アレイ型プロセッサが、複数の前記コンピュータプログラムごとに前記状態管理部の命令コードをデータ保持する状態記憶手段と、複数の前記コンピュータプログラムごとに前記データパス部の命令コードをデータ保持するコンテキスト記憶手段と、を有しており、
前記アレイ型プロセッサにタスク切換回路も接続されており、
このタスク切換回路は、タスク切換のイベントデータが入力されるイベント入力手段と、前記タスク切換のイベントデータが入力されると前記状態管理部と前記データパス部との動作を停止させる動作停止手段と、停止した前記状態管理部の動作状態と前記データパス部の前記動作状態に応じた処理データとを、タスク切換時点のハードウェア構成に応じて選択して取得する停止取得手段と、データ取得された前記動作状態と前記処理データとを複数の前記コンピュータプログラムごとに一時保持する停止保持手段と、前記一時保持が完了すると他の前記コンピュータプログラムの動作状態と処理データとを前記停止保持手段からデータ読出して前記状態管理部と前記データパス部とにデータ設定する切換設定手段と、前記データ設定が完了すると動作開始のイベントデータを前記状態管理部に出力する開始出力手段と、を有しており、
前記アレイ型プロセッサの状態管理部は前記動作開始のイベントデータが入力されると前記動作状態の順次遷移を開始するデータ処理システム。
【請求項１３】
請求項１２に記載のデータ処理システムのタスク切換回路であって、
タスク切換のイベントデータが入力されるイベント入力手段と、
前記タスク切換のイベントデータが入力されると前記状態管理部と前記データパス部との動作を停止させる動作停止手段と、
停止した前記状態管理部の前記動作状態と前記データパス部の前記動作状態に応じた前記処理データとを取得する停止取得手段と、
データ取得された前記動作状態と前記処理データとを複数の前記コンピュータプログラムごとに一時保持する停止保持手段と、
前記一時保持が完了すると他の前記コンピュータプログラムの動作状態と処理データとを前記停止保持手段からデータ読出して前記状態管理部と前記データパス部とにデータ設定する切換設定手段と、
前記データ設定が完了すると動作開始のイベントデータを前記状態管理部に出力する開始出力手段と、を有しているタスク切換回路。
【請求項１４】
前記プログラムメモリと一体に形成されている請求項１３に記載のタスク切換回路。
【請求項１５】
請求項１乃至５に記載のアレイ型プロセッサのためのコンピュータプログラムであって、
複数の前記コンピュータプログラムごとに前記状態管理部の命令コードをデータ保持する手順と、
複数の前記コンピュータプログラムごとに前記データパス部の命令コードをデータ保持する手順と、
タスク切換のイベントデータの入力を受け付ける手順と、
前記タスク切換のイベントデータの入力を受け付けると前記状態管理部と前記データパス部との動作を停止させる手順と、
停止した前記状態管理部の動作状態と前記データパス部の前記動作状態に応じた処理データとを取得する手順と、
データ取得された前記動作状態と前記処理データとを複数の前記コンピュータプログラムごとに一時保持する手順と、
前記一時保持が完了すると他の前記コンピュータプログラムの動作状態と処理データとを前記停止保持手段からデータ読出して前記状態管理部と前記データパス部とにデータ設定する手順と、
前記データ設定が完了すると動作開始のイベントデータを前記状態管理部に出力する手順と、
前記動作開始のイベントデータの入力を受け付けるとデータ設定されている前記動作状態から状態遷移を開始する手順と、をコンピュータに実行させるためにコンピュータプログラム。
【発明の詳細な説明】
【技術分野】
【０００１】
本発明は、状態管理部とデータパス部とを有しており、データパス部に複数のプロセッサエレメントと複数のスイッチエレメントとがマトリクス配列されているアレイ型プロセッサに関する。
【背景技術】
【０００２】
現在、各種のデータ処理を自在に実行できるプロセッサユニットとしては、いわゆるＣＰＵ(Central Processing Unit)やＭＰＵ(Micro Processor Unit)と呼称される製品が実用化されている。
【０００３】
このようなプロセッサユニットを利用したデータ処理システムでは、複数の動作命令が記述された各種のオブジェクトコードと各種の処理データとがメモリデバイスに格納され、プロセッサユニットはメモリデバイスから動作命令や処理データを順番にデータ読出して複数のデータ処理を逐次実行する。
【０００４】
このため、一個のプロセッサユニットで各種のデータ処理を実現できるが、そのデータ処理では複数のデータ処理を順番に逐次実行する必要があり、その逐次処理ごとにプロセッサユニットがメモリデバイスから動作命令をデータ読出する必要があるので、複雑なデータ処理を高速に実行することは困難である。
【０００５】
一方、実行するデータ処理が１つに限定されている場合には、そのデータ処理を実行するように論理回路をハードウェアで形成すれば、プロセッサユニットがメモリデバイスから複数の動作命令を順番にデータ読出して複数のデータ処理を順番に逐次実行するような必要はない。このため、複雑なデータ処理を高速に実行することが可能であるが、当然ながら１つのデータ処理しか実行することができない。
【０００６】
つまり、オブジェクトコードを切換自在としたデータ処理システムでは、各種のデータ処理を実行できるが、ハードウェアの構成が固定されているのでデータ処理を高速に実行することが困難である。一方、ハードウェアからなる論理回路では、データ処理を高速に実行することが可能であるが、オブジェクトコードを変更できないので１つのデータ処理しか実行できない。
【０００７】
このような課題を解決するため、本出願人はソフトウェアに対応してハードウェアの構成が変化するプロセッサユニットとしてアレイ型プロセッサを創案した。このアレイ型プロセッサでは、小規模の多数のプロセッサエレメントとスイッチエレメントとがマトリクス配列されており、このデータパス部に状態管理部が並設されている。
【０００８】
複数のプロセッサエレメントは、個々にデータ設定される動作命令に対応してデータ処理を個々に実行し、複数のスイッチエレメントは、個々にデータ設定される動作命令に対応して複数のプロセッサエレメントの接続関係を個々に切換制御する。
【０００９】
つまり、アレイ型プロセッサは複数のプロセッサエレメントと複数のスイッチエレメントとの動作命令を切り換えることでハードウェアの構成が変化するので、各種のデータ処理を実行することができ、ハードウェアとして小規模の多数のプロセッサエレメントが簡単なデータ処理を並列に実行するので、全体では複雑なデータ処理を高速に実行することができる。
【００１０】
そして、上述のような複数のプロセッサエレメントと複数のスイッチエレメントとの動作命令からなるコンテキストを状態管理部がオブジェクトコードに対応して動作サイクルごとに順次切り換えるので、アレイ型プロセッサはオブジェクトコードに対応して並列処理を連続的に実行することができる(例えば、特許文献１〜７、非特許文献１参照)。
【００１１】
さらに、複数のデータ処理装置を並列に接続して煩雑なデータ処理を分担するデータ処理システムも実用化されており、このようなデータ処理システムとしては、同一構造の複数のデータ処理装置を接続した同種結合タイプと、構造が相違する複数のデータ処理装置を接続した異種結合タイプとがある。
【００１２】
同種結合タイプのデータ処理システムでは、１つのデータ処理を同一構造の複数のデータ処理装置で分担するので、高い並列度でデータ処理を実行することができる。異種結合タイプのデータ処理システムでは、１つのデータ処理を複数種類のデータ処理装置で分担するので、データ処理装置ごとに得意のデータ処理を実行することができる。そして、上述のような異種結合タイプのデータ処理システムとして、一般的なＭＰＵとアレイ型プロセッサとを混載したものも、本出願人は提案した(例えば、特許文献８参照)。
。
【特許文献１】特許３２６９５２６号
【特許文献２】特開２０００−１３８５７９号
【特許文献３】特開２０００−２２４０２５号
【特許文献４】特開２０００−２３２３５４号
【特許文献５】特開２０００−２３２１６２号
【特許文献６】特開２００３−０７６６６８号
【特許文献７】特開２００３−０９９４０９号
【特許文献８】特開２００３−１９６２４８号
【非特許文献１】“Introduction to the Configurable, Highly Parallel Computer”、Lawrence Snyder著、Purdue University、“IEEE Computer, vol.15, No.1, Jan. 1982, pp47-56”
【発明の開示】
【発明が解決しようとする課題】
【００１３】
上述のようなアレイ型プロセッサを実際に使用する場合、そのオブジェクトコードであるコンピュータプログラムをプログラムメモリにデータ格納し、そのプログラムメモリをアレイ型プロセッサにシステムバスなどで接続することになる。そして、アレイ型プロセッサは、外部のプログラムメモリからコンピュータプログラムをデータ取得してデータ保持し、そのデータ保持したコンピュータプログラムに対応して動作する。
【００１４】
しかし、現在のアレイ型プロセッサは、いわゆるマルチタスクの機能がないため、複数のコンピュータプログラムに対応した処理動作を同時に実行することができない。これを解決するためには、例えば、従来の一般的なＣＰＵやＭＰＵで実現されているマルチタスクの機能を、アレイ型プロセッサに応用することが想定できる。
【００１５】
しかし、アレイ型プロセッサは、ハードウェアの構造も動作原理も一般的なＣＰＵなどとは大幅に相違するため、従来のＣＰＵなどのマルチタスクを単純に応用することはできない。より具体的には、ＣＰＵなどでは、例えば、処理途中の複数の処理データを外部の大容量のＲＡＭなどに並列に保持させるので、複数のコンピュータプログラムに対応した処理動作を時分割に疑似的に同時実行する場合でも、処理途中の処理データの保存が問題となることはない。
【００１６】
しかし、アレイ型プロセッサは、マトリクス状に配列されている多数のプロセッサエレメントで処理データを微少容量ずつ分散保持するため、複数のコンピュータプログラムを切り換えるときに処理途中の処理データの保存が問題となる。また、アレイ型プロセッサは、コンピュータプログラムの一連の命令コードに対応して内部状態がハードウェア的に切り換えられるので、複数のコンピュータプログラムを切り換えるときに内部状態の保存も問題となる。
【００１７】
本発明は上述のような課題に鑑みてなされたものであり、複数のコンピュータプログラムに対応した処理動作を同時に実行できるアレイ型プロセッサを提供することを目的とする。
【課題を解決するための手段】
【００１８】
本発明のアレイ型プロセッサは、データパス部、状態管理部、状態記憶手段、コンテキスト記憶手段、イベント入力手段、動作停止手段、停止取得手段、停止保持手段、切換設定手段、開始出力手段、を有しており、データパス部には、複数のプロセッサエレメントと複数のスイッチエレメントとがマトリクス配列されている。プロセッサエレメントは、順次遷移される複数の動作状態ごとにコンピュータプログラムにデータ記述されている命令コードに対応してデータ処理を個々に実行し、スイッチエレメントは、命令コードに対応して複数のプロセッサエレメントの接続関係を個々に切換制御する。状態管理部は、データパス部の動作状態ごとの命令コードからなるコンテキストを、命令コードと適宜入力されるイベントデータとに対応して動作状態ごとに順次遷移させる。
【００１９】
状態記憶手段は、複数のコンピュータプログラムごとに状態管理部の命令コードをデータ保持し、コンテキスト記憶手段は、複数のコンピュータプログラムごとにデータパス部の命令コードをデータ保持する。イベント入力手段は、タスク切換のイベントデータが入力され、動作停止手段は、タスク切換のイベントデータが入力されると状態管理部とデータパス部との動作を停止させる。停止取得手段は、停止した状態管理部の動作状態とデータパス部の処理データとを取得し、停止保持手段は、データ取得された動作状態と処理データとを複数のコンピュータプログラムごとに一時保持する。切換設定手段は、一時保持が完了すると他のコンピュータプログラムの動作状態と処理データとを停止保持手段からデータ読出して状態管理部とデータパス部とにデータ設定し、開始出力手段は、データ設定が完了すると動作開始のイベントデータを状態管理部に出力する。状態管理部は動作開始のイベントデータが入力されると動作状態の順次遷移を開始するので、複数のコンピュータプログラムに対応した処理動作が疑似的に同時に実行される。
【００２０】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置に実現された所定の機能、これらの組み合わせ、等として実現することができる。
【００２１】
また、本発明で云う各種手段は、かならずしも個々に独立した存在である必要はなく、複数の手段が１個の部材として形成されていること、ある手段が他の手段の一部であること、ある手段の一部と他の手段の一部とが重複していること、等も可能である。
【００２２】
また、本発明で云うデータ処理装置とは、コンピュータプログラムをデータ読取して対応するデータ処理を実行できるハードウェアであれば良く、例えば、ＭＰＵを主体として、これに、ＲＯＭ、ＲＡＭ(Random Access Memory)、Ｉ／Ｆ(Interface)ユニット、等の各種デバイスが接続されたハードウェアなどで良い。
【００２３】
また、本発明で云うイベントデータとは、状態管理部やデータパス部などが各種動作を実行するために各種情報を相互に通達するもので、例えば、データパス部が状態管理部に動作状態を次段に遷移させることを通達する所定コード、状態管理部が初期状態や現在の動作状態や動作遷移の継続不可をコード取得手段に通達する所定コード、コード取得手段が状態管理部に動作開始を通達する所定コード、等からなる。
【発明の効果】
【００２４】
本発明のアレイ型プロセッサは、複数のコンピュータプログラムの状態管理部とデータパス部との命令コードをデータ保持し、タスク切換のイベントデータが入力されると状態管理部とデータパス部との動作を停止させ、停止した状態管理部の動作状態とデータパス部の処理データとを取得し、データ取得された動作状態と処理データとを複数のコンピュータプログラムごとに一時保持し、一時保持が完了すると他のコンピュータプログラムの動作状態と処理データとをデータ読出して状態管理部とデータパス部とにデータ設定し、データ設定が完了すると動作開始のイベントデータを状態管理部に出力し、この状態管理部は動作開始のイベントデータが入力されると動作状態の順次遷移を開始するので、複数のコンピュータプログラムに対応した処理動作を疑似的に同時に実行することができる。
【発明を実施するための最良の形態】
【００２５】
［実施の形態の構成］
本発明の実施の一形態を図面を参照して以下に説明する。本実施の形態のデータ処理システム１０００は、図１に示すように、複数のデータ処理装置として１個のアレイ型プロセッサ１００と１個のＭＰＵ２００とを有しており、これらのアレイ型プロセッサ１００とＭＰＵ２００とが外部バス３００とデータライン３０１とで互いに接続されている。
【００２６】
また、データ処理システム１０００では、アレイ型プロセッサ１００のコンピュータプログラムが格納されているプログラムメモリ３０２と、ＭＰＵ２００のコンピュータプログラムが格納されているプログラムメモリ３０３と、が各々専用に設けられており、これらが外部バス３００に接続されている。
【００２７】
アレイ型プロセッサ１００は、自身のコンピュータプログラムをプログラムメモリ３０２からデータ読出し、そのコンピュータプログラムに対応してデータ処理を実行する。そのとき、入力される処理データがデータパス部１０６でデータ処理されて出力され、そのデータ処理に対応してデータパス部１０６でイベントデータが発行される。
【００２８】
また、ＭＰＵ２００は、Ｉ／Ｆ回路、プロセッサコア、内部レジスタ、等のハードウェアを有しており（図示せず）、プログラムメモリ３０３に格納されているコンピュータプログラムに対応して動作することにより、データ入力手段、データ処理手段、データ記憶手段、データ出力手段、等の各種手段が各種機能として論理的に形成されている。
【００２９】
データ入力手段は、コンピュータプログラムに対応してプロセッサコアがＩ／Ｆ回路の入力データを認識する機能に相当し、処理データとイベントデータとが入力される。データ処理手段は、プロセッサコアがデータ処理を実行する機能に相当し、入力される処理データをコンピュータプログラムとイベントデータとに対応してデータ処理する。
【００３０】
データ記憶手段は、プロセッサコアが処理データを内部レジスタに格納する機能に相当し、処理データなどの各種データを一時記憶する。データ出力手段は、プロセッサコアがＩ／Ｆ回路のデータ出力を制御する機能に相当し、処理された処理データとイベントデータとを出力する。
【００３１】
ただし、データ処理システム１０００のＭＰＵ２００は、処理データの少なくとも一部とイベントデータとをアレイ型プロセッサ１００から入力し、データ処理の少なくとも一部に対応して新規のイベントデータを発行し、処理データの少なくとも一部と新規に発行されたイベントデータとをアレイ型プロセッサ１００に出力する。
【００３２】
アレイ型プロセッサ１００は、Ｉ／Ｆ回路１０１、プロセッサコア１０２、仮想認識手段でありアドレス発行回路であるメモリコントローラ１０３、データ読出回路であるリードマルチプレクサ１０４、等を有しており、プロセッサコア１０２は、図１および図３に示すように、状態管理部１０５とデータパス部１０６とを有している。
【００３３】
データパス部１０６は、図２および図３に示すように、複数のプロセッサエレメント１０７、複数のスイッチエレメント１０８、データバスの一部である多数のｍｂ(ｍ-bit)バス１０９、データバスの一部である多数のｎｂ(ｎ-bit)バス１１０、等を有しており、複数のプロセッサエレメント１０７と複数のスイッチエレメント１０８とがマトリクス配列されて多数のｍ／ｎｂバス１０９，１１０によりマトリクス接続されている。
【００３４】
また、図２(ｂ)に示すように、プロセッサエレメント１０７は、メモリ制御回路１１１、コンテキスト記憶手段であるインストラクションメモリ１１２、インストラクションデコーダ１１３、ｍｂレジスタファイル１１５、ｎｂレジスタファイル１１６、ｍｂＡＬＵ(Arithmetic and Logical Unit)１１７、ｎｂＡＬＵ１１８、内部可変配線（図示せず）、等を各々有しており、スイッチエレメント１０８は、バスコネクタ１２１、入力制御回路１２２、出力制御回路１２３、等を各々有している。
【００３５】
Ｉ／Ｆユニット１０１は、図１に示すように、プロトコル制御部１３１、タスク切換回路１５０、メモリアクセス部１３２、同期制御回路１３３、を有しており、これらが順番に接続されている。プロトコル制御部１３１は、外部バス３００に接続されており、メモリアクセス部１３２は、メモリコントローラ１０３とリードマルチプレクサ１０４とに接続されており、同期制御回路１３３は、プロセッサコア１０２の状態管理部１０５とデータパス部１０６とに接続されている。
【００３６】
プロトコル制御部１３１は、外部バス３００と共通のバスプロトコルがデータ設定されており、このバスプロトコルに対応して外部バス３００と各種データを通信するとともに、より単純な手法でタスク切換回路１５０を介してメモリアクセス部１３２と各種データを通信する。
【００３７】
このメモリアクセス部１３２は、図１に示すように、ＭＰＵ２００から外部バス３００を介してプロトコル制御部１３１に入力される各種データをメモリコントローラ１０３とデータパス部１０６と同期制御回路１３３とに伝送し、これらから伝送される各種データをプロトコル制御部１３１から外部バス３００を介してＭＰＵ２００に出力する。
【００３８】
同期制御回路１３３は、ＭＰＵ２００から外部バス３００を介してプロトコル制御部１３１に入力されるイベントデータを一時保持するとともに、状態管理部１０５から入力されるイベントデータを一時保持する。
【００３９】
図１に示すように、ＭＰＵ２００から同期制御回路１３３に入力されて一時保持されたイベントデータはデータパス部１０６を介して状態管理部１０５に取得され、状態管理部１０５から同期制御回路１３３に入力されて一時保持されたイベントデータはＭＰＵ２００に取得される。
【００４０】
メモリコントローラ１０３は、Ｉ／Ｆユニット１０１のメモリアクセス部１３２から伝送される各種データをプロセッサコア１０２の状態管理部１０５とデータパス部１０６とに伝送し、リードマルチプレクサ１０４は、状態管理部１０５やデータパス部１０６の保持データを読み出してメモリアクセス部１３２に伝送する。
【００４１】
より詳細には、図３に示すように、状態管理部１０５は、インストラクションデコーダ１３８、遷移テーブルメモリ１３９、状態記憶手段であるインストラクションメモリ１４０、ステートメモリ１４１、を有しており、そのインストラクションデコーダ１３８は命令バス１４２でメモリコントローラ１０３に接続されている。
【００４２】
さらに、インストラクションデコーダ１３８は遷移テーブルメモリ１３９とインストラクションメモリ１４０とに接続されており、その遷移テーブルメモリ１３９はステートメモリ１４１に接続されている。
【００４３】
また、前述のようにリードマルチプレクサ１０４は状態管理部１０５やデータパス部１０６の保持データを読み出すので、状態管理部１０５の各種メモリ１３９〜１４１がデータバス１４３で接続されており、データパス部１０６のプロセッサ／スイッチエレメント１０７、１０８がｍ／ｎｂデータバス１０９，１１０で接続されている。
【００４４】
また、プロセッサエレメント１０７は、図３に示すように、Ｘ行Ｙ列(ＸとＹとは“２”以上の自然数)に配列されており、メモリコントローラ１０３からリードマルチプレクサ１０４まで並列に接続されたＸ行の命令バス１４２が１行ごとにＹ列のプロセッサエレメント１０７のメモリ制御回路１１１に接続されている。
【００４５】
さらに、状態管理部１０５の１個のインストラクションデコーダ１３８にはＹ列のアドレスバス１４４が接続されており、このアドレスバス１４４が１列ごとにＸ行のプロセッサエレメント１０７のメモリ制御回路１１１に接続されている。
【００４６】
プログラムメモリ３０２にデータ格納されているアレイ型プロセッサ１００のコンピュータプログラムは、データパス部１０６にマトリクス配列された複数のプロセッサエレメント１０７と複数のスイッチエレメント１０８との命令コードが、順次切り換わるコンテキストとしてデータ記述されており、このコンテキストを動作サイクルごとに切り換える状態管理部１０５の命令コードが、順次遷移する動作状態としてデータ記述されており、順次遷移される複数の動作状態の相対関係が遷移ルールとしてデータ記述されている。
【００４７】
このため、状態管理部１０５では、プログラムメモリ３０２からデータ読出されたコンピュータプログラムがインストラクションデコーダ１３８でデコードされ、その命令コードがインストラクションメモリ１４０にデータ格納されるとともに、複数の動作状態の遷移ルールが遷移テーブルメモリ１３９にデータ格納される。
【００４８】
状態管理部１０５は、遷移テーブルメモリ１３９の遷移ルールに対応して動作状態を順次遷移させ、インストラクションメモリ１４０の命令コードに対応して複数のプロセッサエレメント１０７と複数のスイッチエレメント１０８とのインストラクションポインタを各々発生する。
【００４９】
なお、遷移テーブルメモリ１３９で一時保持されている遷移ルールにより現在の動作状態が判明するので、この現在の動作状態がステートメモリ１４１に一時保持される。さらに、インストラクションメモリ１４０には複数の動作状態に対応した複数の命令コードがデータ格納されるので、その複数のアドレスデータもメモリコントローラ１０３から状態管理部１０５に伝送される。
【００５０】
また、状態管理部１０５に命令バス１４２で伝送される命令コードには、命令コードがデータ格納されるプロセッサエレメント１０７のアドレスデータもエンコードされてデータ設定されているので、これがインストラクションデコーダ１３８でデコードされ、Ｙ列のアドレスバス１４４から選択された１つで一列のプロセッサエレメント１０７に伝送される。
【００５１】
同時に、プロセッサエレメント１０７のインストラクションメモリ１１２に命令コードがデータ格納されるとき、メモリコントローラ１０３によりＸ行の命令バス１４２から１つが選択されて命令コードが伝送される。これで１個のプロセッサエレメント１０７に命令コードとアドレスデータとが伝送されるので、そのアドレスデータに対応したインストラクションメモリ１１２の１つのアドレス空間に命令コードがデータ格納される。
【００５２】
図２(ｂ)に示すように、スイッチエレメント１０８は、隣接するプロセッサエレメント１０７のインストラクションメモリ１１２を共用しているので、状態管理部１０５は、発生したプロセッサエレメント１０７とスイッチエレメント１０８との１組のインストラクションポインタを対応するプロセッサエレメント１０７のインストラクションメモリ１１２に供給する。
【００５３】
このインストラクションメモリ１１２は、プログラムメモリ３０２からデータ読出されるプロセッサエレメント１０７とスイッチエレメント１０８との命令コードを一時保持するので、状態管理部１０５から供給されるインストラクションポインタでプロセッサエレメント１０７とスイッチエレメント１０８との命令コードが指定される。インストラクションデコーダ１１３は、インストラクションポインタで指定された命令コードをデコードし、スイッチエレメント１０８、内部可変配線、ｍ／ｎｂＡＬＵ１１７，１１８、等の動作を制御する。
【００５４】
ｍｂバス１０９はｍｂである“８(bit)”の処理データを伝送し、ｎｂバス１１０はｎｂである“１(bit)”の処理データを伝送するので、スイッチエレメント１０８は、インストラクションデコーダ１１３の動作制御に対応してｍ／ｎｂバス１０９，１１０による複数のプロセッサエレメント１０７の接続関係を制御する。
【００５５】
より詳細には、スイッチエレメント１０８のバスコネクタ１２１は、ｍｂバス１０９とｎｂバス１１０とが四方から連通しており、このように連通している複数のｍｂバス１０９の互いの接続関係と連通する複数のｎｂバス１１０の互いの接続関係とを制御する。
【００５６】
このため、アレイ型プロセッサ１００は、プログラムメモリ３０２にデータ設定されたコンピュータプログラムに対応して状態管理部１０５がデータパス部１０６のコンテキストを動作サイクルごとに順次切り換え、その段階ごとに複数のプロセッサエレメント１０７は個々に設定自在なデータ処理で並列動作する。
【００５７】
入力制御回路１２２は、図２(ｂ)に示すように、ｍｂバス１０９からｍｂレジスタファイル１１５およびｍｂＡＬＵ１１７へのデータ入力の接続関係と、ｎｂバス１１０からｎｂレジスタファイル１１６およびｎｂＡＬＵ１１８へのデータ入力の接続関係とを制御する。
【００５８】
出力制御回路１２３は、ｍｂレジスタファイル１１５およびｍｂＡＬＵ１１７からｍｂバス１０９へのデータ出力の接続関係と、ｎｂレジスタファイル１１６およびｎｂＡＬＵ１１８からｎｂバス１１０へのデータ出力の接続関係とを制御する。
【００５９】
プロセッサエレメント１０７の内部可変配線は、インストラクションデコーダ１１３の動作制御に対応して、プロセッサエレメント１０７の内部でのｍｂレジスタファイル１１５およびｍｂＡＬＵ１１７の接続関係とｎｂレジスタファイル１１６およびｎｂＡＬＵ１１８の接続関係とを制御する。
【００６０】
ｍｂレジスタファイル１１５は、内部可変配線に制御される接続関係に対応して、ｍｂバス１０９などから入力されるｍｂの処理データを一時保持してｍｂＡＬＵ１１７などに出力する。ｎｂレジスタファイル１１６は、内部可変配線に制御される接続関係に対応して、ｎｂバス１１０などから入力されるｎｂの処理データを一時保持してｎｂＡＬＵ１１８などに出力する。
【００６１】
ｍｂＡＬＵ１１７は、インストラクションデコーダ１１３の動作制御に対応したデータ処理をｍｂの処理データで実行し、ｎｂＡＬＵ１１８は、インストラクションデコーダ１１３の動作制御に対応したデータ処理をｎｂの処理データで実行するので、処理データのビット数に対応してｍ／ｎｂのデータ処理が適宜実行される。
【００６２】
このデータパス部１０６での処理結果は必要により状態管理部１０５にイベントデータとしてフィードバックされるので、この状態管理部１０５は入力されたイベントデータにより動作状態を次段の動作状態に遷移させるとともにデータパス部１０６のコンテキストを次段のコンテキストに切り換える。
【００６３】
本形態のアレイ型プロセッサ１００は、上述のようにプログラムメモリ３０２にデータ格納されているコンピュータプログラムをデータ読出して状態管理部１０５とデータパス部１０６とに命令コードをデータ保持させ、その命令コードに対応して状態管理部１０５とデータパス部１０６とが動作する。
【００６４】
ただし、本形態のデータ処理システム１０００では、プログラムメモリ３０２にアレイ型プロセッサ１００の複数のコンピュータプログラムがデータ格納されており、その複数のコンピュータプログラムごとに命令コードが状態管理部１０５とデータパス部１０６とのインストラクションメモリ１４０，１１２にデータ保持される。
【００６５】
そして、アレイ型プロセッサ１００は複数のコンピュータプログラムに対応した処理動作を時分割に実行するので、複数のコンピュータプログラムに対応した処理動作が疑似的に同時に実行される。このため、本形態のアレイ型プロセッサ１００は、図１に示すように、タスク切換回路１５０を有しており、このタスク切換回路１５０により複数のコンピュータプログラムに対応した疑似的な並列処理を実現する。
【００６６】
このタスク切換回路１５０は、例えば、ＡＳＩＣ(Application Specific Integrated Circuit)からなり、図４に示すように、イベント入力手段であるイベント入力回路１５１、動作停止手段である動作停止回路１５２、停止取得手段である停止取得回路１５３、停止保持手段である停止保持回路１５４、切換設定手段である切換設定回路１５６、開始出力手段である開始出力回路１５７、等をハードウェアとして有している。
【００６７】
状態管理部１０５は、１つのコンピュータプログラムに対応した処理動作を実行しているとき、例えば、所定のステップ動作の実行完了などに対応してタスク切換のイベントデータをタスク切換回路１５０のイベント入力回路１５１に出力する。このイベント入力回路１５１は、例えば、Ｉ／Ｏ(Input／Output)ポートなどに相当し、状態管理部１０５などから入力されるタスク切換のイベントデータを受け付ける。
【００６８】
動作停止回路１５２は、イベント入力回路１５１にタスク切換のイベントデータが入力されると、状態管理部１０５とデータパス部１０６との動作を停止させ、停止取得回路１５３は、動作停止回路１５２により停止された状態管理部１０５の動作状態とデータパス部１０６の処理データとを取得する。
【００６９】
より具体的には、状態管理部１０５は、データパス部１０６の動作を停止させる機能を有しており、専用の信号入力により自身の動作を停止させる機能も有しているので、これを利用して動作停止回路１５２は状態管理部１０５とデータパス部１０６との動作を停止させる。
【００７０】
状態管理部１０５のステートメモリ１４１に一時保持されている現在の動作状態と、データパス部１０６のｍ／ｎｂレジスタファイル１１５，１１６に一時保持されている処理データとは、状態管理部１０５とデータパス部１０６とが停止している状態でも外部から読み出されるので、これを利用して停止取得回路１５３は動作状態と処理データとを取得する。
【００７１】
停止保持回路１５４は、例えば、ＲＡＭなどのメモリ回路からなり、停止取得回路１５３によりデータ取得された動作状態と処理データとを複数のコンピュータプログラムごとに一時保持する。切換設定回路１５６は、停止保持回路１５４による一時保持が完了すると、他のコンピュータプログラムの動作状態と処理データとを停止保持回路１５４からデータ読出して状態管理部１０５とデータパス部１０６とにデータ設定し、開始出力回路１５７は、切換設定回路１５６によるデータ設定が完了すると、動作開始のイベントデータを状態管理部１０５に出力する。
【００７２】
この状態管理部１０５は、上述のように動作状態がデータ設定されてから動作開始のイベントデータがデータ入力されると、データ設定された動作状態に対応してコンピュータプログラムからコンテキストをデータ読出し、そのコンテキストをデータパス部１０６にデータ設定してから動作状態の順次遷移を開始する。
【００７３】
なお、図４では図示を簡単とするため、タスク切換回路１５０に状態管理部１０５とデータパス部１０６とプログラムメモリ３０２とが直接に接続されている構造を例示しているが、図１に示すように、実際にはタスク切換回路１５０はメモリアクセス部１３２を介して状態管理部１０５とデータパス部１０６とに接続されているとともにプロトコル制御部１３１を介してプログラムメモリ３０２に接続されている。このため、上述のようなタスク切換回路１５０と各部とのデータ通信も、実際にはメモリアクセス部１３２やプロトコル制御部１３１などを介して実行される。
【００７４】
［実施の形態の動作］
上述のような構成において、本実施の形態のデータ処理システム１０００では、ＭＰＵ２００がメインプロセッサとして機能するとともにアレイ型プロセッサ１００がコプロセッサとして機能することにより、そのアレイ型プロセッサ１００とＭＰＵ２００とのデータ処理が連動する。
【００７５】
その場合、アレイ型プロセッサ１００およびＭＰＵ２００は、プログラムメモリ３０２，３０３から自身のコンピュータプログラムをデータ読出して対応する処理動作を実行することにより、データライン３０１から入力される処理データでデータ処理を実行し、データ処理を実行した処理データをデータライン３０１に出力する。
【００７６】
アレイ型プロセッサ１００のコンピュータプログラムは、複数のプロセッサエレメント１０７と複数のスイッチエレメント１０８との命令コードが順次切り換わるコンテキストとしてデータ記述されており、このコンテキストを動作サイクルごとに切り換える状態管理部１０５の命令コードが順次遷移する動作状態としてデータ記述されている。
【００７７】
このようなコンピュータプログラムに対応して動作するアレイ型プロセッサ１００では、状態管理部１０５が動作状態を順次遷移させるとともに、データパス部１０６のコンテキストを動作サイクルごとに順次遷移させる。このため、その動作サイクルごとに複数のプロセッサエレメント１０７が個々に設定自在なデータ処理で並列動作し、その複数のプロセッサエレメント１０７の接続関係を複数のスイッチエレメント１０８が切換制御する。
【００７８】
このとき、データパス部１０６での処理結果は必要により状態管理部１０５にイベントデータとしてフィードバックされるので、この状態管理部１０５は入力されたイベントデータにより動作状態を次段の動作状態に遷移させるとともにデータパス部１０６のコンテキストを次段のコンテキストに切り換える。
【００７９】
本形態のアレイ型プロセッサ１００は、上述のようにプログラムメモリ３０２から命令コードをデータ読出して状態管理部１０５とデータパス部１０６とに一時保持させることで、その状態管理部１０５とデータパス部１０６とが命令コードに対応して動作する。
【００８０】
ただし、本形態のデータ処理システム１０００では、プログラムメモリ３０２に複数のコンピュータプログラムが格納されており、アレイ型プロセッサ１００は、複数のコンピュータプログラムをデータ読出してデータ保持する。そして、その複数のコンピュータプログラムに対応した処理動作を時分割に切換実行することにより、複数のコンピュータプログラムに対応した処理動作を疑似的に同時実行する。
【００８１】
より具体的には、状態管理部１０５は、１つのコンピュータプログラムに対応した処理動作を実行しているとき、例えば、所定のステップ動作の実行完了などに対応してタスク切換のイベントデータをタスク切換回路１５０のイベント入力回路１５１に出力する。
【００８２】
このタスク切換回路１５０では、イベント入力回路１５１にタスク切換のイベントデータが入力されると、動作停止回路１５２が状態管理部１０５とデータパス部１０６との動作を停止させる。つぎに、停止した状態管理部１０５の動作状態とデータパス部１０６の処理データとを停止取得回路１５３が取得し、そのデータ取得された動作状態と処理データとが停止保持回路１５４により複数のコンピュータプログラムごとに一時保持される。
【００８３】
この一時保持が完了すると、切換設定回路１５６により他のコンピュータプログラムの動作状態と処理データとが停止保持回路１５４からデータ読出されて状態管理部１０５とデータパス部１０６とにデータ設定され、このデータ設定が完了すると開始出力回路１５７により動作開始のイベントデータが状態管理部１０５に出力される。
【００８４】
すると、この状態管理部１０５は、データ設定された動作状態に対応してコンピュータプログラムからコンテキストをデータ読出し、そのコンテキストをデータパス部１０６にデータ設定する。そして、これが完了すると状態管理部１０５は動作状態の順次遷移を開始するので、データパス部１０６はデータ設定されたコンテキストと処理データとに対応してデータ処理を実行する。
【００８５】
［本実施の形態の効果］
本形態のアレイ型プロセッサ１００は、上述のように複数のコンピュータプログラムに対応した処理動作を時分割に実行するので、複数のコンピュータプログラムに対応した処理動作を疑似的に同時に実行することができる。
【００８６】
［本実施の形態の変形例］
本発明は上述の実施の形態に限定されるものではなく、その要旨を逸脱しない範囲で各種の変形が可能である。例えば、上記形態ではアレイ型プロセッサ１００とＭＰＵ２００とプログラムメモリ３０２，３０３とが外部バス３００で接続されているデータ処理システム１０００を例示したが、アレイ型プロセッサ１００とプログラムメモリ３０２のみからなるデータ処理システムや、事前に複数のコンピュータプログラムが実装されている単体のアレイ型プロセッサ１００なども実施可能である(ともに図示せず)。
【００８７】
また、上記形態ではタスク切換回路１５０がプロトコル制御部１３１とメモリアクセス部１３２との中間に位置することを例示したが、このタスク切換回路１５０は機能が実現される範囲で各種の位置に配置することが可能である。さらに、上記形態ではタスク切換回路１５０に各種手段が各種回路１５１〜１５７としてハードウェアで形成されていることを例示したが、例えば、その一部ないし全部がマイクロプロセッサとソフトウェアとの組み合わせでタスク切換回路１５０に形成されていることも可能である。
【００８８】
同様に、タスク切換回路１５０の各種回路１５１〜１５７の一部ないし全部が、ソフトウェアによりＭＰＵ２００に実現されていることも可能である。このようにタスク切換回路１５０の機能がＭＰＵ２００で実現される場合、速度の観点では不利となるが、プログラムメモリ３０３にデータ格納するＭＰＵ２００のコンピュータプログラムによりタスク切換回路１５０の機能が実現されるので、アレイ型プロセッサ１００の構造を変更する必要がなく、その実現が容易である。
【００８９】
例えば、タスク切換回路１５０の全部の機能をＭＰＵ２００により実現する場合、そのコンピュータプログラムは、アレイ型プロセッサ１００の状態管理部１０５などから入力されるタスク切換のイベントデータを受け付けること、これに対応して状態管理部１０５とデータパス部１０６との動作を停止させること、この停止した状態管理部１０５の動作状態とデータパス部１０６の処理データとを取得すること、その取得された動作状態と処理データとを複数のコンピュータプログラムごとに一時保持すること、この一時保持が完了すると他のコンピュータプログラムの動作状態と処理データとをデータ読出して状態管理部１０５とデータパス部１０６とにデータ設定すること、このデータ設定が完了すると開始出力回路１５７により動作開始のイベントデータを状態管理部１０５に出力すること、等をＭＰＵ２００に実行させるコンピュータプログラムとしてプログラムメモリ３０３にデータ格納される。
【００９０】
さらに、タスク切換回路１５０の各種回路１５１〜１５７の一部ないし全部の機能を、アレイ型プロセッサ１００に外部バス３００などで接続されるＡＳＩＣなどの専用回路により実現することも可能であり(図示せず)、このような専用回路をアレイ型プロセッサ１００のプログラムメモリ３０２と一体に形成しておくことも可能である(図示せず)。
【００９１】
また、上記形態ではタスク切換のイベントデータを状態管理部１０５が発行することを例示したが、このようなタスク切換のイベントデータをデータパス部１０６やＭＰＵ２００が発行することも可能であり、例えば、タスク切換が実行されてから所定時間が経過するごとにタスク切換のイベントデータを発行する専用のタイマ回路をタスク切換回路１５０などに形成しておくことも可能である(図示せず)。
【００９２】
さらに、上記形態ではプログラムメモリ３０２にデータ格納されている複数のコンピュータプログラムの全部の命令コードがアレイ型プロセッサ１００に保持されることを例示したが、プログラムメモリ３０２にデータ格納されている複数のコンピュータプログラムの命令コードをアレイ型プロセッサ１００が一部のみ保持することも可能である。この場合、アレイ型プロセッサ１００は処理動作に必要な一連の命令コードのみ一時保持し、継続する一連の命令コードは必要なタイミングでプログラムメモリ３０２からデータ読出することになる。
【００９３】
より具体的には、上述のように複数のコンピュータプログラムの命令コードを一部ずつデータ取得する場合、タスク切換回路１５０に、状態取得手段である状態取得回路、動作取得手段である動作取得回路、コンテキスト検出手段であるコンテキスト検出回路、コンテキスト取得手段であるコンテキスト取得回路、コード設定手段であるコード設定回路、関係生成手段である関係生成回路、関係設定手段である関係設定回路、重複検出手段である重複検出回路、更新制御手段である更新制御回路、等を形成する(図示せず)。
【００９４】
その場合、状態管理部１０５は、命令コードを一時保持していない初期状態か、所定個数だけ一時保持した命令コードでの動作完了か、を検出すると継続不可のイベントデータをタスク切換回路１５０のイベント入力回路１５１に出力するので、状態取得回路は、イベント入力回路１５１に継続不可のイベントデータが入力されると、状態管理部１０５のステートメモリ１４１から現在の動作状態をデータ取得するとともに、データパス部１０６から次段の動作状態を指定するイベントデータを取得する。
【００９５】
動作取得回路は、状態取得回路でデータ取得された動作状態とイベントデータとに対応して継続する所定個数の動作状態の命令コードを所定のアルゴリズムによりプログラムメモリ３０２からデータ取得する。つまり、本形態のアレイ型プロセッサ１００は、前述のように状態管理部１０５が動作状態を次段に遷移させるとともに、データパス部１０６のコンテキストを次段に遷移させることで動作するが、その場合、データパス部１０６は、データ設定されたコンテキストでデータ処理を実行すると、次段のコンテキストに移行するために次段の動作状態を指定するイベントデータを状態管理部１０５に出力する。
【００９６】
そこで、この状態管理部１０５は入力されたイベントデータに対応して自身の動作状態を次段に遷移させるとともに、データパス部１０６のコンテキストを次段に遷移させる。このため、アレイ型プロセッサ１００が動作を停止したとき、その状態管理部１０５の現在の動作状態とデータパス部１０６のイベントデータとが取得されると、次段の動作状態が判明することになる。
【００９７】
例えば、図５(ａ)に示すように、アレイ型プロセッサ１００のコンピュータプログラムが８つの状態およびコンテキスト“０〜７”の命令コードからなり、状態管理部１０５とデータパス部１０６とのインストラクションメモリ１４１，１１２は４つの命令コードのみ一時保持できるとする。
【００９８】
そして、アレイ型プロセッサ１００の電源が投入された直後の初期状態では、当然ながら状態管理部１０５のステートメモリ１４１には現在の動作状態がデータ保持されていないので、状態取得回路は動作状態がデータ保持されていないことをデータ検出する。
【００９９】
すると、動作取得回路は、自動的に“０”から継続する４つの命令コードをプログラムメモリ３０２からデータ取得する。この場合、図示するように、４つの命令コードを“０→１→(２，３)”なるパターンでデータ取得する他、“０→１→２→４”“０→１→２→５”“０→１→３→５”なるパターンでもデータ取得が可能であるが、例えば、動作取得回路は、公知の幅優先探索法などのアルゴリズムにより適正なパターンで命令コードをデータ取得する。
【０１００】
コンテキスト検出回路は、動作取得回路でデータ取得された命令コードの動作状態に対応する所定個数のコンテキストをデータ検出し、コンテキスト取得回路は、コンテキスト検出回路でデータ検出されたコンテキストの命令コードをプログラムメモリ３０２からデータ取得する。
【０１０１】
コード設定回路は、動作取得回路とコンテキスト取得回路とでデータ取得された動作状態とコンテキストとの命令コードを状態管理部１０５とデータパス部１０６とにデータ設定し、開始出力回路１５７は、コード設定回路による命令コードのデータ設定が完了すると動作開始のイベントデータを状態管理部１０５に出力する。
【０１０２】
関係生成回路は、コンテキスト検出回路でデータ検出されたコンテキストと動作状態との対応関係をデータ生成し、関係設定回路は、関係生成回路でデータ生成された対応関係も状態管理部１０５にデータ設定する。つまり、プロセッサエレメント１０７のインストラクションメモリ１１２では複数のコンテキストごとに命令コードが一時保持されるが、その命令コードとメモリアドレスとの関係は任意である。
【０１０３】
一方、状態管理部１０５はインストラクションメモリ１１２のメモリアドレスでコンテキストの命令コードを指定するので、この指定に必要なコンテキストと動作状態との対応関係が関係生成回路でデータ生成されて関係設定回路により状態管理部１０５にデータ設定される。
【０１０４】
そこで、この状態管理部１０５は、動作開始のイベントデータが入力されると、データ格納された命令コードと遷移ルールとに対応して動作状態の順次遷移を開始し、データ設定された対応関係に対応して順次遷移させる動作状態ごとにデータパス部１０６のコンテキストを順次遷移させる。
【０１０５】
また、重複検出回路は、コンテキスト検出回路でデータ検出された前回の複数のコンテキストと今回の複数のコンテキストとの重複を検出し、更新制御回路は、重複検出回路で重複が検出されたコンテキストの命令コードのコンテキスト取得回路によるプログラムメモリ３０２からのデータ取得とコード設定回路によるデータパス部１０６へのデータ設定とを無用とする。
【０１０６】
例えば、図５(ｂ)に示すように、前回が“０→１→(２，３)”なる４つのコンテキストからなり、図５(ｃ)に示すように、今回が“４→７→１→３”なる４つのコンテキストからなる場合、これらでは“１，３”なる２つのコンテキストが重複している。そこで、このようなコンテキストの重複を重複検出回路が検出すると、そのデータ取得とデータ設定とが実行されないように更新制御回路がコンテキスト取得回路とコード設定回路とを動作制御する。
【０１０７】
上述のような構成のアレイ型プロセッサ１００では、Ｉ／Ｆユニット１０１のタスク切換回路１５０が、プログラムメモリ３０２から所定個数の連携する一部の動作状態の命令コードを対応する一部のコンテキストの命令コードとともにデータ取得するので、状態管理部１０５は、データ取得された所定個数の動作状態の命令コードのみを一時保持して動作し、データパス部１０６は、データ取得された所定個数のコンテキストの命令コードのみを一時保持して動作する。
【０１０８】
そして、状態管理部１０５とデータパス部１０６とが一時保持した命令コードでの動作を完了するごとにタスク切換回路１５０は継続する動作状態およびコンテキストの命令コードをデータ取得するので、アレイ型プロセッサ１００はコンピュータプログラムの命令コードを一部しか保持できなくとも一連の動作を実行する。
【０１０９】
このようなアレイ型プロセッサ１００では、データ設定された命令コードでの状態管理部１０５とデータパス部１０６との動作が停止するごとに上述のようなタスク切換回路１５０の動作が繰り返されるので、状態管理部１０５とデータパス部１０６とがコンピュータプログラムの多数の命令コードを一部しかデータ保持できなくとも、そのコンピュータプログラムに対応した一連の処理動作を実行することができる。
【０１１０】
しかも、タスク切換回路１５０が所定個数の動作状態およびコンテキストの命令コードのみ更新するとき、前回の複数のコンテキストと今回の複数のコンテキストとの重複が検出され、重複が検出されたコンテキストの命令コードのプログラムメモリ３０２からのデータ取得とデータパス部１０６へのデータ設定とが無用とされる。このため、命令コードのデータ更新の処理負担と所要時間を削減することができ、アレイ型プロセッサ１００の消費電力を低減するとともに処理速度を向上させることができる。
【０１１１】
さらに、上述のようにプログラムメモリ３０２から一連の多数の命令コードを一部ずつデータ取得して状態管理部１０５とデータパス部１０６とにデータ設定する処理動作を実現するタスク切換回路１５０がハードウェアとして内蔵されているので、上記動作を単独で高速に実行することができる。
【０１１２】
なお、当然ながら、上述のような各種回路の一部ないし全部をマイクロプロセッサとコンピュータプログラムとの組み合わせで実現することも可能であり、外部のＭＰＵ２００や専用回路で実現することも可能である。
【０１１３】
また、上述のようなアレイ型プロセッサ１００では、コンピュータプログラムの命令コードを一部ずつデータ取得して処理動作を実行することが、複数のコンピュータプログラムを時分割に切換設定することともに実行されるので、これらの動作を適切に組み合わせることで全体的な動作効率を向上させることができる。
【０１１４】
例えば、“Ａ”なるコンピュータプログラムが“a1〜a4”なるコンテキストおよび動作状態からなり、“Ｂ”なるコンピュータプログラムが“b1〜b4”なるコンテキストおよび動作状態からなり、状態管理部１０５とデータパス部１０６とのインストラクションメモリ１４０，１１２とが動作状態およびコンテキストを４つずつ一時保持するならば、最初にインストラクションメモリ１４０，１１２に“a1，a2”を一時保持させて状態管理部１０５とデータパス部１０６とに処理動作を実行させる。
【０１１５】
この“a1，a2”の実行中にインストラクションメモリ１４０，１１２の空き領域に“b1，b2”を一時保持させ、“a1，a2”の実行が完了すると“b1，b2”の実行を開始する。この“b1，b2”の実行中にインストラクションメモリ１４０，１１２の“a1，a2”を“a3，a4”にデータ更新し、“b1，b2”の実行が完了すると“a3，a4”の実行を開始する。
【０１１６】
この“a3，a4”の実行中にインストラクションメモリ１４０，１１２の“b1，b2”を“b3，b4”にデータ更新し、“a3，a4”の実行が完了すると“b3，b4”の実行を開始する。このようにすることで、アレイ型プロセッサ１００が複数のコンピュータプログラムでの処理動作を時分割に連続的に実行できるので、複数のコンピュータプログラムの処理動作を全体的に高効率に実行することができる。
【０１１７】
さらに、上述のように複数のコンピュータプログラムの命令コードを一部ずつデータ取得して処理動作を実行する場合、その複数のコンピュータプログラムに優先度を設定することも可能である。より具体的には、上述のような場合、タスク切換回路１５０に、優先検出手段である優先検出回路、コード増減手段であるコード増減回路、を形成しておく(図示せず)。
【０１１８】
優先検出回路は、インストラクションメモリ１４０とインストラクションメモリ１１２とで一時保持されている複数のコンピュータプログラムの一部の命令コードごとに使用頻度を優先度として積算することにより、インストラクションメモリ１４０とインストラクションメモリ１１２とで命令コードが一部のみ一時保持されている複数のコンピュータプログラムの優先度を検出する。
【０１１９】
コード増減回路は、例えば、使用頻度が低い命令コードを優先的に削減させるように、ンストラクションメモリ１４０とインストラクションメモリ１１２とで一部のみ一時保持される命令コードの個数を優先度に対応して複数のコンピュータプログラムで相互に増減させる。
【０１２０】
例えば、前述のようにコンピュータプログラム“Ａ”と“Ｂ”とがあり、状態管理部１０５とデータパス部１０６とのインストラクションメモリ１４０，１１２とが動作状態およびコンテキストを４つずつ一時保持する場合、インストラクションメモリ１４０，１１２が優先度に対応してコンピュータプログラム“Ａ”のコンテキストおよび動作状態を３つ一時保持するとともに“Ｂ”のコンテキストおよび動作状態は１つのみ一時保持するようなことが可能である。このようにすることで、アレイ型プロセッサ１００での複数のコンピュータプログラムの並列実行の効率を、さらに向上させることが可能となる。
【０１２１】
なお、上記事例ではタスク切換回路１５０が状態管理部１０５とデータパス部１０６との命令コードをデータ更新するとき、前回と今回とで重複するコンテキストの命令コードはデータ取得とデータ設定とが省略されることを例示した。しかし、このような重複の検出と処理動作の省略とを実行することなく、毎回全部の命令コードをデータ更新することも可能である。
【０１２２】
この場合、命令コードのデータ更新の処理負担と所要時間を削減することはできないが、命令コードの重複の検出と動作省略の制御とが無用となるので、重複検出回路と更新制御回路との形成が無用となり、その処理負担と所要時間とを削減することができる。
【０１２３】
換言すると、所定個数ずつデータ更新する命令コードに多数の重複が発生することが予測される場合には、重複検出回路と更新制御回路とを形成しておくことが好適であり、所定個数ずつデータ更新する命令コードにほとんど重複が発生しないことが予測される場合には、重複検出回路と更新制御回路とを形成しておかないことが好適である。
【０１２４】
また、上記事例ではコンテキストのデータ更新の処理負担を軽減して所要時間を削減するため、タスク切換回路１５０に重複検出回路と更新制御回路とを形成し、今回と前回とのコンテキストの重複のみ検出して命令コードのデータ取得とデータ設定とを省略することを例示した。
【０１２５】
しかし、タスク切換回路１５０に、コンテキストの複数種類の更新手法が更新コストとともにデータ登録されている更新記憶手段と、前回の複数のコンテキストと今回の複数のコンテキストとの組み合わせから更新コストの合計が最少となる更新手法をデータ検出する手法検出手段とを形成し(図示せず)、更新制御回路の動作制御によりコード設定回路にデータ検出された更新手法でデータパス部１０６のコンテキストのデータ更新を実行させることも可能である。
【０１２６】
上述のような更新記憶手段は、例えば、複数種類の更新手法がコンピュータプログラムとしてデータ格納されたメモリ回路で形成することができ、手法検出手段は、例えば、実装されているコンピュータプログラムに対応してメモリ回路から所定のコンピュータプログラムをデータ読出して処理動作を実行するマイクロプロセッサで形成することができる(ともに図示せず)。
【０１２７】
また、第１の更新手法としては、例えば、前回と今回とのコンテキストで相違する命令コードのみコンテキスト取得回路にデータ取得させ、今回の命令コードを前回との差分のみコード設定回路にデータ設定させることが可能である。さらに、このような更新手法において、前回と今回とのコンテキストで相違する命令コードが複数の場合、差分の更新コストの合計が最少となる組み合わせを選択することも可能である。
【０１２８】
また、第２の更新手法としては、前回と今回とのコンテキストの所定の組み合わせでは、データパス部１０６の前回のコンテキストを初期化してから今回のコンテキストをコード設定回路にデータ設定させることが可能である。
【０１２９】
さらに、第３の更新手法としては、前回と今回との複数のコンテキストの所定の組み合わせでは対応する前回のコンテキストを前回の他のコンテキストで上書きしてから今回のコンテキストと相違する命令コードのみコンテキスト取得回路にデータ取得させてコード設定回路にデータ設定させることも可能である。
【０１３０】
より具体的には、図５(ｂ)に示すように、前回が“０→１→(２，３)”なる４つのコンテキストからなり、図５(ｃ)に示すように、今回が“４→７→１→３”なる４つのコンテキストからなる場合、重複している“１，３”なる２つのコンテキストはデータ更新されず、“０，２”なるコンテキストが“４，７”なるコンテキストにデータ更新されることになる。
【０１３１】
しかし、コンテキストはＸ行Ｙ列のプロセッサエレメント１０７の命令コードからなるので、例えば、“０”なるコンテキストと“４”なるコンテキストでは大部分のプロセッサエレメント１０７で命令コードが共通していることもある。このような場合、第１の更新手法として、“０”なるコンテキストを“４”なるコンテキストにデータ更新するため、差分の命令コードのみデータ取得してデータ格納すれば、その処理負担を軽減して動作速度を向上させることが可能である。
【０１３２】
さらに、上述のように“０，２”なるコンテキストが“４，７”なるコンテキストに差分の命令コードのみデータ更新される場合、“０→４，２→７”と“０→７，２→４”との更新コストの合計を比較して最少の一方を選択すれば、さらに処理負担を軽減して動作速度を向上させることが可能である。
【０１３３】
また、前述のように“０”なるコンテキストを“４”なるコンテキストにデータ更新するとき、“０”なるコンテキストではＸ行Ｙ列のプロセッサエレメント１０７の全部に命令コードがデータ設定されるが、“４”なるコンテキストではＸ行Ｙ列のプロセッサエレメント１０７の一部しか命令コードがデータ設定されないこともある。
【０１３４】
しかし、このような場合には、今回の“４”なるコンテキストで命令コードをデータ設定しないプロセッサエレメント１０７に前回の命令コードが残存するため、これを初期化する必要がある。命令コードの初期化は命令コードのデータ格納と同様に、Ｘ行Ｙ列のプロセッサエレメント１０７を１個ずつ順番に選択して実行するため、その更新コストは命令コードのデータ格納と同一である。
【０１３５】
そこで、Ｘ行Ｙ列のプロセッサエレメント１０７の全部の命令コードを一括に初期化できるように形成しておけば、第２の更新手法として“０”なるコンテキストを初期化してから“４”なるコンテキストを新規にデータ格納することで、更新コストを低減することが可能となる。
【０１３６】
さらに、“０→１→(２，３)”の“０”なるコンテキストを“４→７→１→３”の“４”なるコンテキストにデータ更新する場合、例えば、“０”と“４”とでは大部分の命令コードが相違しており、データ更新しない“１”とデータ更新する“４”とで大部分の命令コードが共通していることもある。
【０１３７】
このような場合、“０→１→(２，３)”の“１”なるコンテキストで“０”なるコンテキストを一括に上書きしてから、その“１”なるコンテキストを“４”なるコンテキストに差分の命令コードのみデータ更新すれば、その処理負担を軽減して動作速度を向上させることが可能である。
【０１３８】
なお、既存のアレイ型プロセッサ１００では、上述のように保持しているコンテキストを他のコンテキストに一括に上書きする機能はない。また、命令コードの初期化は命令コードのデータ格納と同様に、Ｘ行Ｙ列のプロセッサエレメント１０７を１個ずつ順番に選択して実行するため、上述のようにコンテキストをデータ更新する過程で全部のプロセッサエレメント１０７を初期化しても更新コストは増加することになる。
【０１３９】
このため、上述のような更新手法で更新コストを低減するためには、Ｘ行Ｙ列のプロセッサエレメント１０７の命令コードを一括に初期化する機能や、保持しているコンテキストを他のコンテキストに一括に上書きする機能が必要である。そこで、このようなコンテキストの初期化や上書きを簡単に迅速に実行するハードウェアの構造を以下に具体的に説明する。
【０１４０】
まず、図６に示すように、プロセッサエレメント１０７のインストラクションメモリ１１２を、コンテキストごとの命令コードを一層ごとにデータ保持するＺ(Ｚは“２”以上の自然数)層の多段構造に形成しておき、そのＺ層のアドレスデータ“ｚ”も状態管理部１０５のインストラクションデコーダ１３８でデコードされる命令コードに設定しておく。
【０１４１】
さらに、Ｘ行Ｙ列のプロセッサエレメント１０７を１個ずつ選択するアドレスデータ“ｘ，ｙ”を無効としてＸ行Ｙ列のプロセッサエレメント１０７の全部を同時に選択するセット信号“set”、データパス部１０６に命令コードとして一時保持されているＺ個のコンテキストから１つを選択するセレクト信号“sel”、も発行するように状態管理部１０５を形成しておく。
【０１４２】
そして、図７に示すように、コード初期化手段およびコード上書手段となる一括設定回路１７０をプロセッサエレメント１０７ごとに形成しておき、その一括設定回路１７０をインストラクションメモリ１１２の各層に接続しておく。
【０１４３】
この一括設定回路１７０は、アンドゲート１７１，１７２、オアゲート１７３、セレクタ回路１７４〜１７６、等で形成された論理回路からなり、従来と同様に外部入力されるコンテキストごとの命令コード“data”をインストラクションメモリ１１２の一層にデータ格納する他、インストラクションメモリ１１２に一時保持されている命令コードをコンテキストごとに初期化すること、インストラクションメモリ１１２に一時保持されている任意のコンテキストの命令コードを任意のコンテキストの命令コードに一括に上書きすること、も実行する。
【０１４４】
つまり、アンドゲート１７１は、Ｘ行Ｙ列のプロセッサエレメント１０７を１個ずつ選択するアドレスデータ“ｘ，ｙ”が入力されており、Ｚ個のアンドゲート１７２は、アンドゲート１７１の出力信号とインストラクションメモリ１１２の各層のアドレスデータ“ｚ”とが入力されている。
【０１４５】
このアンドゲート１７２の出力信号はインストラクションメモリ１１２の各層に入力されているので、Ｘ行Ｙ列のプロセッサエレメント１０７から１個がアドレスデータ“ｘ，ｙ”により選択され、そのプロセッサエレメント１０７のインストラクションメモリ１１２のＺ層から一層がアドレスデータ“ｚ”により選択される。
【０１４６】
ただし、アンドゲート１７１の出力信号は前述のセット信号“set”とともにオアゲート１７３に入力されているので、セット信号“set”が発行された場合にはアドレスデータ“ｘ，ｙ”は無効となって全部のプロセッサエレメント１０７でアドレスデータ“ｚ”に対応したインストラクションメモリ１１２の一層が選択される。
【０１４７】
また、Ｚ個のセレクタ回路１７４は、一方の入力端子にインストラクションメモリ１１２の各層が個々に接続されており、他方の入力端子には接地などにより初期値“def”が入力されている。セレクタ回路１７４は、前述のアドレスデータ“ｚ”が制御信号として外部入力されるので、通常は自身に接続されているインストラクションメモリ１１２の一層の命令コードをデータ出力するが、自身に接続されているインストラクションメモリ１１２の一層のアドレスデータ“ｚ”が外部入力されると、初期値“def”をデータ出力する。
【０１４８】
これらＺ個のセレクタ回路１７４の出力信号はセレクタ回路１７５に入力されており、このセレクタ回路１７５にはセレクト信号“sel”が外部入力されている。このセレクタ回路１７５は、外部入力されるセレクト信号“sel”によりインストラクションメモリ１１２のＺ層から一層を選択する。
【０１４９】
このセレクタ回路１７５の出力信号は命令コード“data”とともにセレクタ回路１７６に入力されており、このセレクタ回路１７６には前述のセット信号“set”が外部入力されている。このセレクタ回路１７６は、セット信号“set”により外部入力される命令コード“data”かセレクタ回路１７５からデータ出力される命令コードかを選択するので、その選択された命令コードが前述のように選択されたインストラクションメモリ１１２の一層にデータ格納される。
【０１５０】
例えば、全部のプロセッサエレメント１０７で複数のコンテキストの１つを一括に初期化する場合は、セット信号“set”により全部のプロセッサエレメント１０７が選択された状態で、アドレスデータ“ｚ”によりインストラクションメモリ１１２の一層が選択される。
【０１５１】
すると、そのアドレスデータ“ｚ”によりセレクタ回路１７４は初期値“def”をデータ出力するので、上述のインストラクションメモリ１１２の一層がセレクト信号“sel”により選択されると、セレクタ回路１７５は初期値“def”を選択することになる。
【０１５２】
この初期値“def”はセット信号“set”によりセレクタ回路１７６でも選択され、上述の選択されたインストラクションメモリ１１２の一層にデータ格納されるので、これで全部のプロセッサエレメント１０７で特定のコンテキストの命令コードが一括に初期化されることになる。
【０１５３】
また、前回の所定のコンテキストで前回の他のコンテキストを一括に上書きする場合は、セット信号“set”により全部のプロセッサエレメント１０７が選択された状態で、上書きされるインストラクションメモリ１１２の一層がアドレスデータ“ｚ”により選択される。
【０１５４】
このような状態で上書きするインストラクションメモリ１１２の一層がセレクト信号“sel”により選択されるので、これで選択されたコンテキストの命令コードがセット信号“set”によりセレクタ回路１７６でも選択される。この選択された命令コードがアドレスデータ“ｚ”により選択されているインストラクションメモリ１１２の一層にデータ格納されるので、これで全部のプロセッサエレメント１０７で前回の所定のコンテキストで前回の他のコンテキストが一括に上書きされることになる。
【０１５５】
なお、上述のような一括設定回路１７０において、セット信号“set”によりセレクタ回路１７５が選択されたときには外部入力される命令コード“data”は無効となるので、この命令コード“data”をセレクタ回路１７５の制御信号として専用のセレクト信号“sel”の発行を無用とすることも可能である。
【０１５６】
また、上記事例ではプログラムメモリ３０２にアレイ型プロセッサ１００のコンピュータプログラムが１つのみデータ格納されており、アレイ型プロセッサ１００がプログラムメモリ３０２から１つのコンピュータプログラムのみをデータ取得して１つの処理動作のみを実行することを例示した。
【図面の簡単な説明】
【０１５７】
【図１】本発明の実施の形態のデータ処理システムの回路構造を示すブロック図である。
【図２】アレイ型プロセッサのｍ／ｎｂバスなどの回路構造を示すブロック図である。
【図３】命令バスなどの回路構造を示すブロック図である。
【図４】タスク切換回路の回路構造を示すブロック図である。
【図５】コンピュータプログラムの論理構造を示す模式図である。
【図６】変形例のアレイ型プロセッサの要部を示す模式図である。
【図７】プロセッサエレメントの内部回路を示すブロック図である。
【符号の説明】
【０１５８】
１００    アレイ型プロセッサ
１０５    状態管理部
１０６    データパス部
１０７    プロセッサエレメント
１０８    スイッチエレメント
１１２    コンテキスト記憶手段であるインストラクションメモリ
１４０    状態記憶手段であるインストラクションメモリ
１５０    タスク切換回路
１５１    イベント入力手段であるイベント入力回路
１５２    動作停止手段である動作停止回路
１５３    停止取得手段である停止取得回路
１５４    停止保持手段である停止保持回路
１５６    切換設定手段である切換設定回路
１５７    開始出力手段である開始出力回路
２００    データ処理装置であるＭＰＵ
３０２，３０３    情報記憶媒体であるプログラムメモリ
【図１】
0004728581.tif 000002
【図２】
0004728581.tif 000003
【図３】
0004728581.tif 000004
【図４】
0004728581.tif 000005
【図５】
0004728581.tif 000006
【図６】
0004728581.tif 000007
【図７】
0004728581.tif 000008